(57)【要約】【課題】映像以外の情報も出力できるようにすることで、効果的な宣伝を行う。【解決手段】コンテンツ出力装置としてのサイネージ装置１０のＣＰＵは、コンテンツメモリに記憶した地図情報とその地図情報に対応する移動軌跡情報とを含むＧＰＳロガーアプリデモ用コンテンツデータを再生してスクリーンパネル１０Ｂに投影出力させる。このコンテンツデータの再生に先立って、ＣＰＵは、地図情報を、ブルートゥースコントローラによりブルートゥースアンテナ４９を介してスマートウォッチ２０に送信し、その後、コンテンツデータの再生に合わせて、移動軌跡情報をブルートゥースコントローラによりブルートゥースアンテナ４９を介してスマートウォッチ２０に送信する。【選択図】図１
2018050274.tif 000002
【特許請求の範囲】
【請求項１】
地図情報を送信する地図情報送信手段と、
コンテンツデータを出力する出力手段と、
上記コンテンツデータの出力に合わせて、上記地図情報に対応する移動軌跡情報を送信する移動軌跡情報送信手段と、
を備えるコンテンツ出力装置。
【請求項２】
上記地図情報と上記移動軌跡情報とを含む上記コンテンツデータを記憶する記憶手段と、
を備え、
前記地図情報送信手段は、前記記憶手段に記憶されている地図情報を送信する、
移動軌跡情報送信手段は、前記記憶手段に記憶されている移動軌跡情報を送信する、
請求項１に記載のコンテンツ出力装置。
【請求項３】
上記移動軌跡情報は、上記地図情報で示される地図上の位置情報の集合であり、
上記移動軌跡情報送信手段は、上記位置情報を一つずつ時系列に送信する、
請求項２記載のコンテンツ出力装置。
【請求項４】
上記記憶手段に記憶される上記コンテンツデータは、地図情報に対応する風景画像データを更に含み、
上記出力手段は、上記移動軌跡情報送信手段が送信した位置情報が上記風景画像データの撮影位置に相当するとき、上記風景画像データを再生出力する、
請求項３記載のコンテンツ出力装置。
【請求項５】
上記出力手段は、上記コンテンツデータを高速再生出力させ、
上記移動軌跡情報送信手段は、上記コンテンツデータの高速再生出力に応じた位置情報を送信する、
請求項３または４記載のコンテンツ出力装置。
【請求項６】
上記記憶手段に記憶される上記コンテンツデータは、複数の地図情報を含み、
上記出力手段で再生出力する地図情報を選択するための選択手段を更に備える、
請求項２乃至５いずれか記載のコンテンツ出力装置。
【請求項７】
上記複数の地図情報は、当該コンテンツ出力装置の地理的な設置位置に応じて決定されている、請求項６記載のコンテンツ出力装置。
【請求項８】
前記出力手段は、前記地図情報の所定の地点に対応する周囲画像を出力し、
前記所定の地点を移動させる移動手段と、を備え、
前記移動軌跡情報送信手段は、前記移動手段が移動させた前記所定の地点に基づいた移動軌跡情報を送信する、請求項１に記載のコンテンツ出力装置。
【請求項９】
前記出力手段は、前記移動手段が移動させた前記所定の地点に基づいて周囲画像を出力する、請求項８に記載のコンテンツ出力装置。
【請求項１０】
地図情報を送信する地図情報送信工程と、
コンテンツデータを出力する出力工程と、
上記コンテンツデータの出力に合わせて、上記地図情報に対応する移動軌跡情報を送信する移動軌跡情報送信工程と、
を有するコンテンツ出力方法。
【請求項１１】
コンテンツを出力する装置が内蔵したコンピュータが実行するプログラムであって、上記コンピュータを、
地図情報を読み出して送信する地図情報送信手段、
コンテンツデータを読み出して出力する出力手段、及び
上記コンテンツデータの出力に合わせて、上記地図情報に対応する移動軌跡情報を送信する移動軌跡情報送信手段、
として機能させるプログラム。
【発明の詳細な説明】
【技術分野】
【０００１】
本発明は、コンテンツ出力装置、コンテンツ出力方法及びプログラムに関する。
【背景技術】
【０００２】
閲覧者に対し、印象を高めることができる映像出力装置搭載機器を提供するべく、例えば人の形をしたスクリーンに画像を投影するようにした技術が提案されている。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術を含めて、この種の映像出力装置では、一方的な映像しか出力できなかった。
【０００５】
本発明は上記のような実情に鑑みてなされたもので、その目的とするところは、映像以外の情報も出力できるようにすることにある。
【課題を解決するための手段】
【０００６】
本発明のコンテンツ出力装置の一態様は、地図情報を送信する地図情報送信手段と、コンテンツデータを出力する出力手段と、上記コンテンツデータの出力に合わせて、上記地図情報に対応する移動軌跡情報を送信する移動軌跡情報送信手段と、を備える。
【発明の効果】
【０００７】
本発明によれば、映像以外の情報である移動軌跡情報も送信出力できるようにすることが可能となる。
【図面の簡単な説明】
【０００８】
【図１】本発明のコンテンツ出力装置の実施形態１に係るサイネージ装置を含むコンテンツ再生システム全体の構成を示す図。
【図２】同実施形態に係るサイネージ装置の主として電子回路の機能構成を示すブロック図。
【図３】同実施形態に係るサイネージ装置における処理内容を示すフローチャート。
【図４】同実施形態に係るサイネージ装置の投影表示例を示す図。
【図５】同実施形態におけるスマートウォッチの表示例を示す図。
【図６】実施形態２に係るサイネージ装置における処理内容を示すフローチャート。
【発明を実施するための形態】
【０００９】
（実施形態１）
以下、本発明を、例えば商業施設の店頭等で商品宣伝用のコンテンツを出力するためのコンテンツ再生システムに適用した場合の実施形態１について図面を参照して説明する。
また、宣伝対象の商品としては、スマートウォッチを想定する。
【００１０】
図１に示すように、本コンテンツ再生システムは、店頭に設置されるサイネージ装置１０と、このサイネージ装置１０とブルートゥース（登録商標）等の近距離無線通信信号Ｂｔによって接続されるスマートウォッチ２０と、を備える。
【００１１】
サイネージ装置１０は、本体筐体１０Ａ上に白色半透明板状のスクリーンパネル１０Ｂを立設し、当該スクリーンパネル１０Ｂの背面下方から画像を投影することにより、図示する如く人型の各種キャラクタや商品情報などの画像を任意に表示する。また、商品説明の音声を任意に発声することも可能になっている。すなわち、サイネージ装置１０は、例えば当該サイネージ装置１０の設置者からの依頼により商品に対応する宣伝情報のコンテンツを再生する装置である。
【００１２】
商品であるスマートウォッチ２０は、ユーザが携帯するスマートフォン等の携帯型情報処理機器と近距離無線通信信号によって接続され、当該携帯型情報処理機器で実行されているアプリケーションプログラム（以下、「アプリ」と略記する）と連動した表示を行えるように構成されている。そのようなアプリの一つとして、携帯型情報処理機器が備えるＧＰＳ受信機で受信したＧＰＳ信号に基づくＧＰＳ情報を継続的に記録し、予め携帯型情報処理機器にダウンロードした地図情報に軌跡と現在位置を表示するＧＰＳロガーアプリが知られている。スマートウォッチ２０には、この携帯型情報処理機器のＧＰＳロガーアプリと連動する端末用ＧＰＳロガーアプリが予めインストールされており、携帯型情報処理機器から地図情報とＧＰＳ情報とを受信して、携帯型情報処理機器のディスプレイに表示される地図情報、移動軌跡、現在位置と同様の表示を、そのタッチパネル付き表示部２１に表示する。なお、ＧＰＳ受信機を内蔵するスマートウォッチ２０では、携帯型情報処理機器からのＧＰＳ情報の受信を省略することも可能になっている。また、端末用ＧＰＳロガーアプリは、ユーザが任意にインストール可能になっていても良い。
【００１３】
サイネージ装置１０は、図２に示すように、コンテンツメモリ３１、投影画像駆動部３２、マイクロミラー素子３３、光源部３４、ミラー３５、投影レンズ部３６、ＮＦＣ部４０、ＣＰＵ４１、メインメモリ４２、プログラムメモリ４３、操作部４４、音処理部４５、スピーカ部４６、ブルートゥースコントローラ４７、人感センサ４８、ブルートゥースアンテナ４９、及びシステムバスＳＢを有している。
【００１４】
コンテンツメモリ３１は、商品に対応する宣伝情報のコンテンツであるコンテンツデータが記憶される。このコンテンツデータは、一般に、画像データ及び音声データ等から構成される。なお、コンテンツメモリ３１は、当該サイネージ装置１０の本体筐体１０Ａに対して着脱可能に構成されていて、商品に応じて交換される。あるいは、コンテンツメモリ３１は本体筐体１０Ａに固定として、図示しないコネクタやネットワークインタフェースにより直接またはネットワークを介して接続された外部記憶媒体に記憶されたコンテンツデータをダウンロードして、このコンテンツメモリ３１の記憶内容が書き換え得るようになっていても良い。
【００１５】
コンテンツメモリ３１に記憶されたコンテンツデータの内、画像データは、後述するＣＰＵ４１により読み出され、システムバスＳＢを介して投影画像駆動部３２に送られる。
投影画像駆動部３２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子３３を表示駆動する。
【００１６】
このマイクロミラー素子３３は、ＭＥＭＳ（Ｍｉｃｒｏ  Ｅｌｅｃｔｒｏ  Ｍｅｃｈａｎｉｃａｌ  Ｓｙｓｔｅｍｓ）技術により製造され、アレイ状に配列された複数個、例えばＷＸＧＡ（横１２８０画素×縦８００画素）分の微小ミラーの各傾斜角度を個々に高速でオン／オフ動作して表示動作することで、その反射光により光像を形成する。
【００１７】
一方で、光源部３４から時分割でＲ，Ｇ，Ｂの原色光が循環的に出射される。光源部３４は、半導体発光素子であるＬＥＤを有し、Ｒ，Ｇ，Ｂの原色光を時分割で繰返し出射する。光源部３４が有するＬＥＤは、広義でのＬＥＤとして、ＬＤ（半導体レーザ）や有機ＥＬ素子を含むものとしても良い。
【００１８】
この光源部３４からの原色光が、ミラー３５で反射して、上記マイクロミラー素子３３に照射される。そして、マイクロミラー素子３３での反射光で光像が形成され、その形成された光像が、投影レンズ部３６を介して上記スクリーンパネル１０Ｂに背面側から投射される。
【００１９】
一方、コンテンツメモリ３１に記憶されたコンテンツデータの内、音声データは、後述するＣＰＵ４１により読み出され、システムバスＳＢを介して音処理部４５に送られる。
音処理部４５は、ＰＣＭ音源等の音源回路を備え、投影動作時に上記コンテンツメモリ３１から読み出された音声データをアナログ化し、図１に示すように本体筐体１０Ａの前面下部に配置されたスピーカ部４６を駆動して放音させる。また、音処理部４５は、ＣＰＵ４１の制御の下、必要によりスピーカ部４６にビープ音等を発生させる。
【００２０】
上記システムバスＳＢと接続されたＮＦＣ部４０は、図１に示すように、本体筐体１０Ａの前面に設けられたタッチ部４０Ａを有する。ＮＦＣ部４０は、スマートフォン等、予めこのサイネージ装置１０の提供サービスに登録されているＮＦＣ（Ｎｅａｒ  Ｆｉｅｌｄ  Ｃｏｍｍｕｎｉｃａｔｉｏｎ）技術を用いた媒体が、このタッチ部４０Ａに当接された場合に、その媒体とのデータの送受を行う。
【００２１】
上記各回路の動作すべてをＣＰＵ４１が制御する。このＣＰＵ４１は、メインメモリ４２及びプログラムメモリ４３と直接接続される。メインメモリ４２は、例えばＳＲＡＭで構成され、ＣＰＵ４１のワークメモリとして機能する。プログラムメモリ４３は、電気的書換可能な不揮発性メモリ、例えばフラッシュＲＯＭで構成され、ＣＰＵ４１が実行するアプリを含む動作プログラムや各種定型データ等を記憶する。
【００２２】
ＣＰＵ４１は、上記プログラムメモリ４３に記憶されている動作プログラムや定型データ等を読み出し、メインメモリ４２に展開して記憶させた上で当該プログラムを実行することにより、このサイネージ装置１０を統括して制御する。
【００２３】
なお、ＣＰＵ４１に、コンテンツメモリ３１に記憶されたコンテンツデータを再生させるための動作プログラムは、上述したプログラムメモリ４３に記憶されている。すなわち、プログラムメモリ４３には、コンテンツメモリ３１の交換あるいはコンテンツメモリ３１へのコンテンツデータの書き換えに合わせて、それ専用の動作プログラムが書き換え記憶される。あるいは、プログラムメモリ４３には、コンテンツデータによらない汎用動作プログラムを記憶しておき、コンテンツデータに応じた専用プログラム部分をコンテンツデータと共にコンテンツメモリ３１に記憶しておくようにしても良い。この場合には、ＣＰＵ４１は、汎用動作プログラムを実行中に、適宜、専用プログラムを呼び出して、コンテンツデータを再生する。
【００２４】
上記ＣＰＵ４１は、操作部４４からの操作信号に応じて各種投影動作を実行する。この操作部４４は、サイネージ装置１０の本体筐体１０Ａに備えるいくつかの操作キーのキー操作信号を受付け、受付けた操作に応じた信号を上記ＣＰＵ４１へ送出する。操作キーとしては、図示しない電源キーに加えて、図１に示すように、メニュー選択ボタン４４Ａ〜４４Ｄが本体筐体１０Ａの前面上部に設けられている。
【００２５】
また、上記ＣＰＵ４１には、図１に示すように本体筐体１０Ａの前面下部に配置された、人感センサ４８から検出信号が入力される。ＣＰＵ４１は、この人感センサ４８により、当該サイネージ装置１０の前方に人物が接近したことが検出されることに応じて、スクリーンパネル１０Ｂに対する宣伝画像の投影動作を開始する。これにより、コンテンツデータを呈示する対象である閲覧者が居ない場合には、電力を消費する画像データの出力を停止して、省電力化を図ることが可能となっている。なお、コンテンツデータの内、音声データは放音するのにそれ程電力を消費せず、また宣伝音声を聞いた人物が当該サイネージ装置１０を見に近づいてくる効果もあるので、放音し続けるものとしている。勿論、音声データも画像データと同様、人感センサ４８により当該サイネージ装置１０の前方に人物が接近したことが検出されるまで、その放音を停止するようにしても良い。
【００２６】
また、上記システムバスＳＢと接続されたブルートゥースコントローラ４７は、図１に示すように本体筐体１０Ａの前面下部に配置されたブルートゥースアンテナ４９を介して、近距離に存在する上記スマートウォッチ２０との間で近距離無線通信信号Ｂｔによりデータ通信する。
【００２７】
以上は一般的なサイネージ装置１０の構成であるが、本実施形態に係るサイネージ装置１０では、コンテンツメモリ３１にコンテンツデータとして、アプリデモ用コンテンツデータを記憶しているという特徴を備えている。このアプリデモ用コンテンツデータは、宣伝対象の商品であるスマートウォッチ２０に予めインストールされている或いはそれに適宜インストール可能な複数のアプリの内、幾つか代表的なアプリについてのデモンストレーション用のコンテンツデータである。このアプリデモ用コンテンツデータの一つに、スマートウォッチ２０の端末用ＧＰＳロガーアプリに対応するＧＰＳロガーアプリデモ用コンテンツデータがある。これは、画像データである幾つかの地図情報、各地図情報に対応する移動軌跡情報、各地図情報に対応する風景画像データ、端末用ＧＰＳロガーアプリの説明音声データ、等を含む。移動軌跡情報は、地図情報で示される地図上の位置情報、例えばＧＰＳ情報、の集合である。風景画像データは、地図情報で示される地図上の登録地点で撮影された画像データである。地図情報及び移動軌跡情報は、ブルートゥースコントローラ４７によりブルートゥースアンテナ４９を介してスマートウォッチ２０に無線送信される。
【００２８】
次に、前記構成のコンテンツ再生システムの動作について説明する。  
図３は、上記サイネージ装置１０によるコンテンツ出力処理を示すフローチャートである。
【００２９】
なお、ここでは、サイネージ装置１０は、アプリデモ用コンテンツデータの内、ＧＰＳロガーアプリデモ用コンテンツデータが既に選択されているものとして説明する。すなわち、コンテンツデータの選択動作については、ここではフローチャートを用いた詳細説明は行わない。簡単に説明すれば、前述したように、コンテンツメモリ３１には、スマートウォッチ２０にインストールされている複数のアプリのデモンストレーション用コンテンツが記憶されており、本サイネージ装置１０の電源オンで、まず、図１に示すように、その内の何れを再生するかを選択する選択画面がスクリーンパネル１０Ｂに投影表示される。図１の選択画面では、その選択内容（「Ａアプリデモ」「ＧＰＳロガーデモ」「Ｂアプリデモ」）と共に、本体筐体１０Ａの前面上部に配された４つのメニュー選択ボタン４４Ａ〜４４Ｄに対応する選択メニュー（「↑」「↓」「決定」「終了」）が含まれる。このような選択画面が投影された状態で、商品の販売員あるいは商品に興味を持った閲覧者が、「ＧＰＳロガーデモ」を選択することで、図３のフローチャートの動作が開始される。
【００３０】
このサイネージ装置１０においては、先ず、ＣＰＵ４１が、ブルートゥースコントローラ４７によりブルートゥースアンテナ４９を介してスマートウォッチ２０と接続済みであるか否か、つまりサイネージ装置１０とスマートウォッチ２０のペアリングが完了しているか否かを判別する（ステップＳ１０１）。未だ接続済みでないならば（ステップＳ１０１のＮＯ）、ＣＰＵ４１は、既知の接続処理を実行して、スマートウォッチ２０と接続する（ステップＳ１０２）。その後、ＣＰＵ４１は上記ステップＳ１０１からの処理に戻る。
【００３１】
こうしてサイネージ装置１０とスマートウォッチ２０が接続されていると判別したならば（ステップＳ１０１のＹＥＳ）、ＣＰＵ４１は、図４（Ａ）に示すように、スクリーンパネル１０Ｂに、選択可能な地図をリストで示す地図選択画面を投影表示させる（ステップＳ１０３）。すなわち、ＣＰＵ４１は、コンテンツメモリ３１に記憶されているＧＰＳロガーアプリデモ用コンテンツデータを読み出して、そのうちの画像データを用いて、投影画像駆動部３２によりマイクロミラー素子３３で画像を表示させながら、光源部３４より光源光を出射させることで、投影レンズ部３６によりスクリーンパネル１０Ｂに対して画像を投影させる。さらに、ＣＰＵ４１は、ＧＰＳロガーアプリデモ用コンテンツデータのうちの説明音声データを用いて、音処理部４５によりアナログの音声信号を生成させ、スピーカ部４６によりアプリの説明を放音させる。
【００３２】
なお、ＧＰＳロガーアプリデモ用コンテンツデータが含む、地図情報、移動軌跡情報及び風景画像データについては、当該サイネージ装置１０が設置される店頭の地理的な位置（住所）を考慮して構成されることができる。例えば、設置位置が東京であれば、「富士山」、「高尾山」、及び「大山」に関するデータを用意しておき、設置位置が北海道であれば、「羊蹄山」、「札幌岳」、及び「塩谷丸山」に関するデータを用意しておく。このように、地理的な位置に応じてデータを予め制限しておくことで、コンテンツメモリ３１への記憶容量を抑えることが可能となると共に、地理的に多くの閲覧者が馴染み深い場所を呈示することで、宣伝効果がより期待できる。もちろん、コンテンツメモリ３１の記憶容量が大きい場合には、全てのデータを用意可能である。この場合には、サイネージ装置１０の地理的な設置位置に応じた優先順位を持って地図のリストを呈示するようにしても良い。
【００３３】
このような地図選択画面が表示された状況において、店頭の販売員または宣伝を視聴しようとする閲覧者は、本体筐体１０Ａに設けられた操作部４４の４つのメニュー選択ボタン４４Ａ〜４４Ｄを操作して、再生する地図を選択する（ステップＳ１０４）。
【００３４】
また、ここまでの任意の時点で、スマートウォッチ２０では、図５（Ａ）に示すように、端末用ＧＰＳロガーアプリを立ち上げておく。これは、販売員または閲覧者の何れが行っても構わない。なお、この端末用ＧＰＳロガーアプリにおいては、図５（Ａ）において、「スマートフォンで開く」をタッチ操作すると、スマートウォッチ２０の図示しないＣＰＵは、スマートウォッチ２０が未だサイネージ装置１０と接続されていない場合には接続動作を実行し、接続済みの場合には地図情報の受信待ちとなる。
【００３５】
上記ステップＳ１０４において、操作部４４の操作によって再生する地図の選択がなされたならば、ＣＰＵ４１は、ＧＰＳロガーアプリデモ用コンテンツデータのうち、その選択された地図の地図情報である画像データを、コンテンツメモリ３１から読み出してシステムバスＳＢを介して投影画像駆動部３２に送ることで、スクリーンパネル１０Ｂに地図を投影表示させる（ステップＳ１０５）。また、その地図情報を、ブルートゥースコントローラ４７によりブルートゥースアンテナ４９を介してスマートウォッチ２０に無線送信させる（ステップＳ１０６）。なお、このステップＳ１０５とステップＳ１０６とは順序が逆であっても良いし、並行して実施されても良い。その後、ＣＰＵ４１は、スマートウォッチ２０からの開始情報の受信待ちとなる（ステップＳ１０７）。
【００３６】
端末用ＧＰＳロガーアプリを実行しているスマートウォッチ２０では、このサイネージ装置１０から無線送信されてきた地図情報を受信し、スマートウォッチ２０のＣＰＵは、その受信した地図情報に従って、図５（Ｂ）に示すように、地図をタッチパネル付き表示部２１に表示させる。つまり、スマートウォッチ２０のＣＰＵは、接続先が携帯型情報処理機器であるのかサイネージ装置１０であるかの判別は何ら行っておらず、サイネージ装置１０から送られてきた地図情報を、携帯型情報処理機器から送られてきたものとして動作を行う。すなわち、サイネージ装置１０は、端末用ＧＰＳロガーアプリを実行しているＣＰＵに対して、携帯型情報処理機器であるかのように見せかける動作を実施する。
【００３７】
こうして、スマートウォッチ２０のタッチパネル付き表示部２１に地図が表示されたならば、スマートウォッチ２０のＣＰＵは、図５（Ｃ）に示すように、ＧＰＳロガー動作のスタート画面をタッチパネル付き表示部２１に表示し、このスタート画面のタッチ操作に応じて開始情報を接続先の機器に無線送信する。
【００３８】
この開始情報は、サイネージ装置１０において、ブルートゥースアンテナ４９を介してブルートゥースコントローラ４７により受信され、その受信がＣＰＵ４１に伝えられる。
これにより、上記ステップＳ１０７の開始情報の受信待ちを抜けて、ＣＰＵ４１は、ＧＰＳロガーアプリデモ用コンテンツデータのうち、選択された地図情報に対応する移動軌跡情報に従って、図４（Ｂ）に示すように、スクリーンパネル１０Ｂに投影表示した地図上に移動軌跡を表示させる（ステップＳ１０８）。すなわち、移動軌跡情報に含まれる複数の位置情報、例えばＧＰＳ情報、の一つを用いて現在位置として表示させる。また、ＣＰＵ４１は、その移動軌跡情報つまり上記位置情報（ＧＰＳ情報）の一つを、ブルートゥースコントローラ４７によりブルートゥースアンテナ４９を介してスマートウォッチ２０に無線送信させる（ステップＳ１０９）。なお、このステップＳ１０８とステップＳ１０９とは順序が逆であっても良いし、並行して実施されても良い。
【００３９】
スマートウォッチ２０では、このサイネージ装置１０から無線送信されてきた移動軌跡情報を受信し、サイネージ装置１０におけるのと同様に、端末用ＧＰＳロガーアプリを実行しているスマートウォッチ２０のＣＰＵは、その受信した移動軌跡情報に従って、タッチパネル付き表示部２１に表示している地図上に、移動軌跡、この場合は現在位置、を表示させる。つまり、スマートウォッチ２０のＣＰＵは、サイネージ装置１０から送られてきた移動軌跡情報を、携帯型情報処理機器から送られてきたものとして動作を行う。
【００４０】
その後、サイネージ装置１０においては、ＣＰＵ４１は、上記現在位置として用いた位置情報（ＧＰＳ情報）が登録地点であるか否かを判別する（ステップＳ１１０）。登録地点で無い場合（ステップＳ１１０のＮＯ）、ＣＰＵ４１は、さらに、スマートウォッチ２０からの終了情報がブルートゥースアンテナ４９を介してブルートゥースコントローラ４７により受信されたか否かを判別する（ステップＳ１１１）。終了情報が受信されていない場合（ステップＳ１１１のＮＯ）、ＣＰＵ４１は、上記ステップＳ１０８からの処理に戻る。
【００４１】
そして、２回目以降のステップＳ１０８では、ＣＰＵ４１は、移動軌跡情報に含まれる複数の位置情報（ＧＰＳ情報）の一つを用いて現在位置として表示させると共に、それ以前に用いたＧＰＳ情報で示される地図上の位置を結ぶ線分を移動軌跡として表示させることになる。
【００４２】
また、２回目以降のステップＳ１０９で無線送信された移動軌跡情報つまり位置情報（ＧＰＳ情報）の一つを受信したスマートウォッチ２０においても、同様に、タッチパネル付き表示部２１に表示している地図上に、図５（Ｄ）に示すように、それ以前に用いたＧＰＳ情報で示される地図上の位置を結ぶ線分を移動軌跡として表示することとなる。なお、端末用ＧＰＳロガーアプリでは、この図５（Ｄ）に示すような地図表示と、図５（Ｅ）に示すような情報表示と、を切替可能に構成されている。この情報表示においても、サイネージ装置１０から無線送信されてきた移動軌跡情報に従った表示が行われることは言うまでもない。
【００４３】
こうして、ＣＰＵ４１が上記ステップＳ１０８〜Ｓ１１１の処理を繰返し実行することで、サイネージ装置１０からスマートウォッチ２０へ位置情報であるＧＰＳ情報が一つずつ時系列に送信され、サイネージ装置１０のスクリーンパネル１０Ｂに投影表示された地図上の移動軌跡が延びていく表示と、スマートウォッチ２０のタッチパネル付き表示部２１に表示された地図上の移動軌跡が延びていく表示とが、同期して行われていく。
【００４４】
なお、このとき、それぞれの地図上で現在位置が中央に表示されるように、現在位置の移動方向とは逆方向に、現在位置の移動距離分、地図を移動させていくような表示手法を採っても良い。
【００４５】
また、移動軌跡に関しては、早送り的に移動軌跡を動かして見せるように表示しても良い。例えば、高尾山山麓から高尾山山頂まで登山するには約１時間４０分かかるので、実時間通りに表示すると、サイネージ装置１０及びスマートウォッチ２０に表示される地図は、ほとんど動かない。そこで、時間を１００倍に進めると、１分ほどで山麓から山頂までの動きを見せることができるようになる。これは、例えば、移動軌跡情報が含む位置情報（ＧＰＳ情報）の全てを１００倍速で再生することで実現しても良いし、１００倍速となるように位置情報を飛び越し再生することで実現しても良い。あるいは、移動軌跡情報として、予め１００倍速に対応した位置情報だけを記憶させておき、それを実時間再生することでも、１００倍速再生と同様の表示を行うことが可能となる。コンテンツメモリ３１の記憶容量の観点から、後者とすることが望ましい。このように、ｎ倍速で移動軌跡を動かして見せることで、実時間に沿った移動軌跡よりも多くの表示変化を呈示できるため、宣伝効果をより高めることが可能となる。
【００４６】
一方、上記ステップＳ１１０において、上記現在位置として用いた位置情報（ＧＰＳ情報）が登録地点である場合（ステップＳ１１０のＹＥＳ）、ＣＰＵ４１は、その登録地点で撮影された画像データである風景画像データを、コンテンツメモリ３１から読み出してシステムバスＳＢを介して投影画像駆動部３２に送ることで、図４（Ｃ）ら示すように、スクリーンパネル１０Ｂに風景画像を投影表示させる（ステップＳ１１２）。これにより、現実に登山していたら見えるその地点での風景を呈示することができる。
【００４７】
その後、店頭の販売員または宣伝を視聴している閲覧者による、本体筐体１０Ａに設けられた操作部４４の操作による、移動軌跡再生の再開指示を受けて（ステップＳ１１３）、ＣＰＵ４１は、上記ステップＳ１１１からの処理に戻る。
【００４８】
こうして、ＣＰＵ４１が上記ステップＳ１０８〜Ｓ１１３の処理を繰返し実行することで、サイネージ装置１０では適宜風景画像を挟みながら地図上の移動軌跡が延びていく表示が行われ、これと同時に、スマートウォッチ２０でも地図上の移動軌跡が延びていく表示が行われていく。
【００４９】
なお、スマートウォッチ２０では、任意の時点で、端末用ＧＰＳロガーアプリを終了させることができる。所定の終了操作が行われると、スマートウォッチ２０のＣＰＵは、タッチパネル付き表示部２１に図５（Ｆ）に示すような終了確認画面を表示させ、レ点がタッチ操作されることで、当該端末用ＧＰＳロガーアプリを終了させると共に、接続先の機器であるサイネージ装置１０に対して終了情報を無線送信する。
【００５０】
この終了情報の受信がブルートゥースコントローラ４７によりＣＰＵ４１に伝えられる。このように終了情報が受信された場合（ステップＳ１１１のＹＥＳ）、ＣＰＵ４１は、このコンテンツ出力処理を終了して、図１に示すような選択画面の投影表示を行うことになる。
【００５１】
なお、店頭の販売員または宣伝を視聴している閲覧者による、本体筐体１０Ａに設けられた操作部４４の操作に応じて、このコンテンツ出力処理が終了できることは勿論である。上記ステップＳ１１１において、終了情報の受信の有無だけでなく、操作部４４の操作による終了指示の有無も合わせて判別するようにすれば良い。
【００５２】
また、終了情報の受信や終了指示操作が無いまま、選択された地図情報に対応する移動軌跡情報の表示が全て終了した場合には、特にフローチャートには示していないが、ＣＰＵ４１は、上記ステップＳ１０３からの処理に戻るようにしても良いし、このコンテンツ出力処理を終了するようにしても良い。
【００５３】
以上詳述した如く本実施形態によれば、映像以外の情報である移動軌跡情報を出力、つまりスマートウォッチ２０へ送信できるようにしたので、スマートウォッチ２０ではその移動軌跡情報を使用する機能をその場で居ながらに体験させることが可能となる。
【００５４】
また、上記実施形態では、移動軌跡情報は、地図情報で示される地図上の位置情報、例えばＧＰＳ情報、の集合であり、コンテンツデータの再生に合わせて、このＧＰＳ情報を一つずつ時系列に送信するので、スマートウォッチ２０ではＧＰＳ情報を使用する機能のデモンストレーションが可能になる。例えば、スマートウォッチ２０の売り場において、当該スマートウォッチ２０に予めインストールされた（または必要に応じてインストールされる）端末用ＧＰＳロガーアプリに対して、サイネージ装置１０からまず地図情報を送信し、その後、コンテンツデータの再生つまり地図上の移動軌跡の再生に合わせて、ＧＰＳ情報を随時に送信するようにしている。携帯型情報処理機器の代わりに、サイネージ装置１０が端末用ＧＰＳロガーアプリへＧＰＳ情報を送信することで、つまり、サイネージ装置１０に携帯型情報処理機器の振りをさせることで、スマートウォッチ２０の端末用ＧＰＳロガーアプリは、その送信されてきた地図情報とＧＰＳ情報とを使用して動作することができる。よって、スマートウォッチ２０の機能の一つである端末用ＧＰＳロガーアプリをその場で居ながらに体験させることが可能となる。
【００５５】
さらに、上記実施形態では、移動軌跡の表示中、移動軌跡が登録地点に達したときに、その登録地点で撮影された風景画像データを投影表示することで、実際の利用状況であれば見るであろう、その地点での風景を呈示することができる。
【００５６】
また、上記実施形態では、早送り的に移動軌跡を動かして見せることで、実時間に沿った移動軌跡よりも多くの表示変化を呈示できる。
【００５７】
（実施形態２）
以下、本発明の実施形態２について図面を参照して説明する。なお、実施形態１と同様の箇所は説明を省略する。
【００５８】
図６は、実施形態２に係るサイネージ装置１０によるコンテンツ出力処理を示すフローチャートである。ステップＳ２０１〜ステップＳ２０４は実施形態１のステップＳ１０１〜ステップＳ１０４と同様なため説明を省略する。
【００５９】
ステップ２０４において、操作部４４の操作によって地図が選択された後、スクリーンパネル１０Ｂに選択された地図の所定の位置の周囲の画像を示す周囲画像を表示する（ステップＳ２０５）。また、その地図情報を、ブルートゥースコントローラ４７によりブルートゥースアンテナ４９を介してスマートウォッチ２０に無線送信させる（ステップＳ２０６）。  
なお、表示された周囲画像は、本体筐体１０Ａの全面上部に配置された４つのメニュー選択ボタン４４Ａ〜４４Ｄに対応する選択メニュー（「↑」、「↓」、「→」、「←」図示略）をユーザが選択することによって所定の位置を移動する移動操作が可能である。
【００６０】
ステップＳ２０６の後、ユーザが移動操作をしたかを判定する（ステップＳ２０７）。ユーザが移動操作をしていないと判定した場合（ステップＳ２０７：ＮＯ）、ステップＳ２１０へ進む。ユーザが移動操作をしたと判定した場合（ステップＳ２０７：ＹＥＳ）、移動操作にあわせて所定の位置を移動する。
【００６１】
所定の位置を移動後、その移動後の所定の位置に対応する周囲画像を表示する（ステップＳ２０８）。移動後の周囲画像を表示した後、所定の位置の軌跡情報をスマートウォッチ２０に送信し（ステップＳ２０９）、ステップＳ２１０へ進む。
【００６２】
ステップＳ２１０では、ユーザにより終了の操作がされたかを判定し、終了の操作がされてない場合（ステップＳ２１０：ＮＯ）、ステップＳ２０７に戻る。終了の操作がされたと判断した場合（ステップＳ２１０：ＹＥＳ）、終了する。
【００６３】
以上のように、上記実施形態では、表示された周囲画像を移動操作したことによって、移動した軌跡情報をスマートウォッチ２０に送信することで、サイネージ装置１０に表示された場所を移動した時と同じスマートウォッチ２０の動作を見ることが出来る。
【００６４】
なお、上記実施形態では、複数の地図情報から一つの地図情報を選択できるようにしているので、視聴する人物に馴染みの地図情報を用いることができる。
【００６５】
また、上記実施形態では、売り場の場所によって選択可能な地図情報を変えておくことで、視聴する人物に馴染みの地図情報をより容易に選択できるようになる。
【００６６】
なお、上記実施形態では、サイネージ装置１０がＤＬＰ（登録商標）（Ｄｉｇｉｔａｌ  Ｌｉｇｈｔ  Ｐｒｏｃｅｓｓｉｎｇ）方式のプロジェクタ技術を用いて画像の投影を行う場合について例示したが、本発明はコンテンツを出力する方式や表示素子等を限定するものではない。
【００６７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６８】
以下に、本願出願の当初の特許請求の範囲に記載された発明を付記する。  
［請求項１］
地図情報を送信する地図情報送信手段と、
コンテンツデータを出力する出力手段と、
上記コンテンツデータの出力に合わせて、上記地図情報に対応する移動軌跡情報を送信する移動軌跡情報送信手段と、
を備えるコンテンツ出力装置。
［請求項２］
上記地図情報と上記移動軌跡情報とを含む上記コンテンツデータを記憶する記憶手段と、
を備え、
前記地図情報送信手段と移動軌跡情報送信手段は、前記記憶手段に記憶されている地図情報と移動軌跡情報を送信する、
請求項１に記載のコンテンツ出力装置。
［請求項３］
上記移動軌跡情報は、上記地図情報で示される地図上の位置情報の集合であり、
上記移動軌跡情報送信手段は、上記位置情報を一つずつ時系列に送信する、
請求項２記載のコンテンツ出力装置。
［請求項４］
上記記憶手段に記憶される上記コンテンツデータは、地図情報に対応する風景画像データを更に含み、
上記出力手段は、上記移動軌跡情報送信手段が送信した位置情報が上記風景画像データの撮影位置に相当するとき、上記風景画像データを再生出力する、
請求項３記載のコンテンツ出力装置。
［請求項５］
上記出力手段は、上記コンテンツデータを高速再生出力させ、
上記移動軌跡情報送信手段は、上記コンテンツデータの高速再生出力に応じた位置情報を送信する、
請求項３または４記載のコンテンツ出力装置。
［請求項６］
上記記憶手段に記憶される上記コンテンツデータは、複数の地図情報を含み、
上記出力手段で再生出力する地図情報を選択するための選択手段を更に備える、
請求項２乃至５いずれか記載のコンテンツ出力装置。
［請求項７］
上記複数の地図情報は、当該コンテンツ出力装置の地理的な設置位置に応じて決定されている、請求項６記載のコンテンツ出力装置。
［請求項８］
前記出力手段は、前記地図情報の所定の地点に対応する周囲画像を出力し、
前記所定の地点を移動させる移動手段と、を備え、
前記移動軌跡情報送信手段は、前記移動手段が移動させた前記所定の地点に基づいた移動軌跡情報を送信する、請求項１に記載のコンテンツ出力装置。
［請求項９］
前記出力手段は、前記移動手段が移動させた前記所定の地点に基づいて周囲画像を出力する、請求項８に記載のコンテンツ出力装置。
［請求項１０］
地図情報を送信する地図情報送信工程と、
コンテンツデータを出力する出力工程と、
上記コンテンツデータの出力に合わせて、上記地図情報に対応する移動軌跡情報を送信する移動軌跡情報送信工程と、
を有するコンテンツ出力方法。
［請求項１１］
コンテンツを出力する装置が内蔵したコンピュータが実行するプログラムであって、上記コンピュータを、
地図情報を読み出して送信する地図情報送信手段、
コンテンツデータを読み出して出力する出力手段、及び
上記コンテンツデータの出力に合わせて、上記地図情報に対応する移動軌跡情報を送信する移動軌跡情報送信手段、
として機能させるプログラム。
【符号の説明】
【００６９】
１０…サイネージ装置、
１０Ａ…本体筐体、
１０Ｂ…スクリーンパネル、
２０…スマートウォッチ、
２１…タッチパネル付き表示部、
３１…コンテンツメモリ、
３２…投影画像駆動部、
３３…マイクロミラー素子、
３４…光源部、
３５…ミラー、
３６…投影レンズ部、
４０…ＮＦＣ部、
４０Ａ…タッチ部、
４１…ＣＰＵ、
４２…メインメモリ、
４３…プログラムメモリ、
４４…操作部、
４４Ａ〜４４Ｄ…メニュー選択ボタン、
４５…音処理部、
４６…スピーカ部、
４７…ブルートゥースコントローラ、
４８…人感センサ、
４９…ブルートゥースアンテナ、
ＢＬ…バスライン、
Ｂｔ…近距離無線通信信号。
【図１】
2018050274.tif 000003
【図２】
2018050274.tif 000004
【図３】
2018050274.tif 000005
【図４】
2018050274.tif 000006
【図５】
2018050274.tif 000007
【図６】
2018050274.tif 000008